(57)【要約】【課題】  既製又は既存のブリーフ等の下着構造をそのまま利用した下着であるが、迅速かつ円滑な排尿体勢を取ることが可能、なかんずく排尿のために素早く下すことができるようにした下着を提供すること。【解決手段】  ブリーフ状ないしビキニ状或はトランクス状を呈するパンツ様の下着における上端開口周縁の前面側略中央部に、舌片状又は環状の引き下げ部材を設け、着用者がその引き下げ部材を掴むか又は引き下げ部材に指を通して当該下着を引き下すようにした。【選択図】図１
0003177972.tif 000002
【実用新案登録請求の範囲】
【請求項１】
ブリーフ状ないしビキニ状或はトランクス状を呈するパンツ様の下着における上端開口周縁の前面側略中央部に、舌片状又は環状の引き下げ部材を設け、着用者がその引き下げ部材を掴むか又は引き下げ部材に指を通して当該下着を引き下すようにしたことを特徴とするブリーフ等の下着。
【請求項２】
引き下げ部材は、適度な硬さによる自立性乃至は自己保型性を有する部材であって、洗濯しても前記性能を維持する紐状部材又は帯状部材或は舌片状部材により形成した請求項１に記載の下着。
【請求項３】
引き下げ部材は、編成又は織成若しくは成形された部材で形成した請求項１又は２に記載の下着。
【考案の詳細な説明】
【技術分野】
【０００１】
本考案はブリーフやトランクス或はパンツ（パンティを含む）などと称される下着に関し、より具体的には下着を引き下し易くする付属具を付けた下着に関する。
【背景技術】
【０００２】
昨今、いわゆる高齢者の排尿問題として男性の場合には加齢に伴う前立腺肥大、膀胱頸部硬化などにより、女性は冷え症や出産経験などによって、頻尿現象の生じることが知られている。
【０００３】
また、男女を問わず加齢に伴って日常生活の様々な運動機能が低下し、尿意を促したとき迅速かつ円滑に排尿体勢がとれず、特に、下着を下した排尿体勢が間に合わず、結果として失禁してしまうことが知られている。
【０００４】
排尿体勢が間に合わないのは、加齢によって皮下脂肪が厚く付き、これが腹筋等の筋力低下と相俟って下腹部に下がってしまう結果、例えば、上下幅が３０ｍｍ程度あるブリーフ上端部の弾性帯でさえ下腹部の皮膚内に埋没してしまい、ブリーフを下そうとして弾性帯と皮膚の間に指を挿入しようとしても、指が入らないことに起因すると考えられる。この事象は幅の狭い弾性帯の場合はさらに顕著に現われると考えられる。
【０００５】
上記のように、特に高齢者では、下腹部に皮下脂肪が厚く付きそのうえ運動機能も低下しているため、尿意を催したとき排尿体勢を整えるのに手間取るという問題があることに鑑み、この点の解消を狙った下着が特許文献１〜４などによって提案されている。
【０００６】
しかし、先に提案されているパンツ等の下着は、いずれも既存，既製の下着をそのまま利用できない独自の構造が採用されているため、下着メーカーが製造して市中に提供するにしても、製造手間，コストともに大きくなってしまうなどの問題がクリアーできないため、未だ市中に出回るに至っていない。
【０００７】
また、提案されている下着について製造手間やコスト問題が改善されたとしても、迅速，円滑な排尿体勢を取る、端的には下着を素早く下せるかについては、十分とはいえない面がある。
【先行技術文献】
【特許文献】
【０００８】
【特許文献１】実用新案登録第３０７７８１３号公報
【特許文献２】特開２００４−１７６２３９号公報
【特許文献３】特開２００５−２６４４１２号公報
【特許文献４】特開２００７−５６４３１号公報
【考案の概要】
【考案が解決しようとする課題】
【０００９】
そこで、本考案は、既製又は既存のブリーフ等の下着構造をそのまま利用した下着であるが、迅速かつ円滑な排尿体勢を取ることが可能、なかんずく排尿のために素早く下すことができるようにした下着を提供することを、課題とする。
【課題を解決するための手段】
【００１０】
上記課題を解決することを目的としてなされた本考案下着の構成は、ブリーフ状ないしビキニ状或はトランクス状を呈するパンツ様の下着における上端開口周縁の前面側略中央部に、舌片状又は環状の引き下げ部材を設け、着用者がその引き下げ部材を掴むか又は引き下げ部材に指を通して当該下着を引き下すようにしたことを特徴とするものである。
【００１１】
本考案において、引き下げ部材は適度な硬さ又は弾性を有する編成部材あるいは織成部材、又は、成形部材、具体的には自立性乃至は自己保型性を有する前記部材であって、洗濯しても前記性能が損なわれない部材により形成することが望ましい。これは着用時に繰返し衣服に挟まれたり洗濯などによる外力を受けても、当該引き下げ部材がヘタることなく、掴んだり指を掛けることができる形状，形態を保持するためである。
【考案の効果】
【００１２】
本考案は、パンツ様の下着における上端開口部縁の前面側略中央部に、舌片状又は環状の引き下げ部材を設け、該部材を掴むか又は指を通して当該下着の引き下しを一動作で容易に行うことができるようにしたので、下着を下すことに手間取ることが原因で排尿に失敗する、すなわち下着を汚してしまうことを完全に予防することができるという、格別の効果を得ることができる。
【００１３】
また、上記の引き下げ部材は、適度な硬さを有する部材、具体的には自立性乃至は自己保型性を有する部材であって、洗濯しても前記性能が損なわれない部材により形成したから、その下着を洗濯しながら長期間に亘り使用しても、下着の引き下げ易さが損なわれることはない。
【図面の簡単な説明】
【００１４】
【図１】本考案下着の一例の正面図。
【図２】本考案下着の別例における引き下げ部材の部位を拡大した正面図。
【図３】本考案下着の他の例における引き下げ部材の部位を拡大した正面図。
【考案を実施するための形態】
【００１５】
次に、本考案下着の実施の形態例について、図を参照して説明する。
図１において、１は周知乃至は公知のブリーフ型乃至はビキニ型と称される男子用下着であり、図１はこの下着１を正面から見た図である。この下着１の上端部２は周知のように環状に開口していて、通常、この開口縁は環状の袋に形成され、その内部に着脱に際して伸縮するゴム紐乃至ゴム帯、希には布紐又は紐帯による留め部材Ｇが収装されている。
【００１６】
本考案は、上記公知下着１の正面側において、上端部２の略中央に、図１の例では半ループ状の引き下げ部材３を縫着４して設けた構成を採用した。図１に例示した引き下げ部材は、ナイロンやテトロン等の合成繊維を編成した細い（一例として直径２〜３ｍｍの）ロープ（又は丸紐）であり、その材質ゆえに自己保型性の引き下げ部材３として機能する。
【００１７】
この下着１を着用した者は、排尿に際し、例えば、ズボンの前ファスナーを開けて、この下着１の引き下げ部材３のループに、その者の利き手（右手又は左手）の親指又は他の適宜の指を通す。
【００１８】
そして、そのまま通した指側の手を下方へ下げると、ループに入れた指の下方移動に伴って当該下着１の正面側が下方へ下がるから、ループから指を抜いた手、或は、反対側の手を添えて小便をする。
【００１９】
上記のように、本考案下着では、引き下げ部材３に指を通してその手をそのまま下方へ下げるだけで、その下着１の正面側を排尿可能な位置に下げることができるから、およそ下着を下げ損ねることを原因とする排尿失敗を確実に防ぐことができる。
【００２０】
本考案下着１に適用する引き下げ部材３としては、図１の形態例のほかに、図２や図３に例示する形態の引き下げ部材３もある。
【００２１】
図２の例は、引き下げ部材３を、断面が先の例の丸いロープではなく、帯状又はテープ状の幅を有する織成部材で形成した例である。
【００２２】
図３の例は、引き下げ部材３を、少し縦長の略四角形状を呈する革材や布或はプラスチック製の帯材で舌片状部材に形成した例である。図示した舌片状を呈する引き下げ部材３では、当該舌片状片の中央部位に指が入る穴５を設けているが、穴５を設けない場合もある。このようにすると、舌片状片を指で掴んで下着１を引き下してもよいし、穴５に指を通して下着１を引き下すようにしてもよい。
【００２３】
上記におけるいずれの引き下げ部材３も、下着１における上端部２の正面略中央部位の外面に取付けることが望ましい。上端部２の内面に付けても引き下し効果に差は生じないが、内面に引き下し部材３の取付代が位置すると、この部位が着用者の肌に直接触れるから、着用者が違和感を感じたり、引き下げ部材３の材質に肌が負けたりするおそれがあるので、これを避けるためである。
【００２４】
以上の説明は男子用下着の例として述べたが、本考案は女性用下着にも適用できること勿論である。また、図示した引き下し部材３は上向きの半ループ状であるが、下向き（図示した例とは逆向き）の半ループ状であってもよい。さらに、引き下げ部材３の取付け形態も縫着４に限られるものではなく、接着や溶着などの固定手段により取付けたものでもよい。
【００２５】
本考案は以上の通りであって、下着の引き下しに手間取って失敗する排尿を防止することができる下着としてきわめて有用である。
【符号の説明】
【００２６】
１  下着
２  下着１の上端部
３  引き下し部材
４  縫着
５  穴
【図１】
0003177972.tif 000003
【図２】
0003177972.tif 000004
【図３】
0003177972.tif 000005